(57)【要約】【課題】冷蔵庫や収納棚の前方に開放する扉を地震時にロックして冷蔵庫や収納棚に収納されている収納物の飛出しを防止する簡便な扉開放防止装置を提供する。開放防止装置が作動して扉がロックされた状態を容易にリセットして扉の開放ができるようにする扉開放防止装置を提供する。【解決手段】前方に開く什器の扉の地震時における開放を防止する扉開放防止装置であって、前記什器の本体に取り付けられる本体取り付け部と前記扉に取り付けられる扉取り付け部とを備え、前記本体取り付け部が筐体と筐体蓋と前記筐体に収められる機構部とを有し、前記扉取り付け部が扉係合部を有し、前記機構部が、振動により転動する球体と、転動する前記球体が載る転動部と、転動した前記球体を静止させる球受け部と、前記球体が前記球受け部に入った状態で前記扉係合部に係合する本体係合部と、前記球体の動きを制御する球体制御部と、を有する。【選択図】図１
2019131963.tif 000002
【特許請求の範囲】
【請求項１】
前方に開く什器の扉の地震時における開放を防止する扉開放防止装置であって、
前記什器の本体に取り付けられる本体取り付け部と前記扉に取り付けられる扉取り付け部とを備え、
前記本体取り付け部が筐体と筐体蓋と前記筐体に収められる機構部とを有し、
前記扉取り付け部が扉係合部を有し、
前記機構部が、振動により転動する球体と、転動する前記球体が載る転動部と、転動した前記球体を静止させる球受部と、前記球体が前記球受部に入った状態で前記扉係合部に係合する本体係合部と、前記球体の動きを制御する球体制御部とを有することを特徴とする扉開放防止装置。
【請求項２】
前記転動部が前記筐体に付着した第１ガイド部及び前記筐体蓋に付着した第２ガイド部により構成されていることを特徴とする請求項１に記載の扉開放防止装置。
【請求項３】
前記球体制御部が水平軸によって軸支され、前記球受部と前記球体を動かす駆動板と前記球受部と前記駆動板を外部から動かす制御レバーを備えることを特徴とする請求項２に記載の扉開放防止装置。
【請求項４】
前記駆動板が前記第１ガイド部と前記第２ガイド部の間に置かれて前記球体を前記球受部へ移動させるチェック部材と前記球受部で前記球体を下方から押し上げて前記球体を前記転動部へ移動させる第１リセット部材からなることを特徴とする請求項３に記載の扉開放防止装置。
【請求項５】
前記球受部に位置する前記球体を前記球体の側方から押して前記転動部へ移動させる第２リセット部材を備えることを特徴とする請求項１乃至４の何れかに記載の扉開放防止装置。
【請求項６】
前記球受部の下方に前記扉係合部と係合する前記本体係合部を有することを特徴とする請求項１乃至５の何れかに記載の扉開放防止装置。
【請求項７】
前記筐体の前方の側面に表示窓が開けられ、前記球体が前記球受部へ入ると前記表示窓を通して前記扉がロック状態にあることを示す表示が現れることを特徴とする請求項１乃至６何れかに記載の扉開放防止装置。
【請求項８】
前記扉取り付け部が複数の高さが異なる前記扉係合部を備え、前記複数の前記扉係合部の間が折り取り可能に形成されていることを特徴とする請求項１乃至７の何れかに記載の扉開放防止装置。
【発明の詳細な説明】
【技術分野】
【０００１】
本発明は、地震等により冷蔵庫や収納棚が大きく揺れた場合にこれらの収納棚の前面に開放する扉をロックして収納されている物品の滑り出しによる落下を防止する扉開放防止装置に関する。
【背景技術】
【０００２】
従来、地震や意図しない何らかの物品の衝突等における振動、揺れ又は傾きで冷蔵庫や収納棚に載置された物品の落下や飛び出しが起こることを防止する装置が種々提案されている。
【０００３】
たとえば、特許文献１に開示されている扉のロック装置は支持台の上に乗った重錘球の落下によりフックがバネで押されてフック受けと係合して扉の開放をロックする仕組みが開示されている。
【０００４】
特許文献２には地震時に球体の可動体の移動によりシーソー体を動かして扉をロックする仕組みが開示されている。
【先行技術文献】
【特許文献】
【０００５】
【特許文献１】特開平１０−２６６６７４
【特許文献２】特開２０１５−４５４２３
【発明の概要】
【発明が解決しようとする課題】
【０００６】
しかしながら、特許文献１に開示される扉のロック装置は錘のリセットに扉の前面から板片を挿し込むことが必要で復帰に手間が掛かるという問題点が有る。
【０００７】
また、特許文献２に開示される扉開放防止装置は、底面が凹部に形成された底面に置かれた球体が地震により移動してレバー部材を回動させて扉の開放をロックする仕組みが開示されている。振動が止むと底面の凹部の一番低い部分へ球体が移動することでロックが解除されると説明されていて積極的なリセット機構の開示は見られない。
【０００８】
そこでこの発明の目的は上述した事情に鑑みて冷蔵庫や収納棚の前方に開放する扉を地震時にロックして冷蔵庫や収納棚に収納されている収納物の飛出しを防止する簡便な扉開放防止装置を提供することである。
【０００９】
また、この発明の別の目的は、扉開放防止装置が作動して扉がロックされた状態を容易にリセットして扉の開放ができるようにする扉開放防止装置提を供することである。
【課題を解決するための手段】
【００１０】
発明に係る扉開放防止装置は、前方に開く什器の扉の地震時における開放を防止する扉開放防止装置であって、前記什器の本体に取り付けられる本体取り付け部と前記扉に取り付けられる扉取り付け部とを備え、前記本体取り付け部が筐体と筐体蓋と前記筐体に収められる機構部とを有し、前記扉取り付け部が扉係合部を有し、前記機構部が、振動により転動する球体と、転動する前記球体が載る転動部と、転動した前記球体を静止させる球受部と、前記球体が前記球受部に入った状態で前記扉係合部に係合する本体係合部と、前記球体の動きを制御する球体制御部と、を有することを特徴とする。
【００１１】
地震を検知して球体を移動させる球体制御部によって冷蔵庫や収納棚の前方に開放する扉に取り付けられた扉取り付け部の扉係合部へ係合する本体取り付け部の本体係合部が地震時に係合することで扉の開放がロックされて冷蔵庫や収納棚に収納された収納物の落下が防止される。
【００１２】
本発明の扉開放防止装置は、転動部が筐体に付着した第１ガイド部及び筐体蓋に付着した第２ガイド部により構成されていることを特徴とする。
【００１３】
転動部が筐体に付着した第１ガイド部及び筐体蓋に付着した第２ガイド部により構成されているので筐体と筐体の筐体蓋を組み立てることで自動的に球体が移動する転動部が構成される。
【００１４】
本発明の扉開放防止装置は、球体制御部が水平軸によって軸支され、球受部と球体を動かす駆動板と前記球受部と前記駆動板を外部から動かす制御レバーを備えることを特徴とする。
【００１５】
地震時に球体を受け止める球受部と前記球体を動かす駆動板と前記球受部と前記駆動板を外部から動かす制御レバーからなる球体制御部が一体になって水平軸によって軸支されて球体制御部は球体の移動に伴い水平軸の回りに鉛直面内で回動する。
【００１６】
本発明の扉開放防止装置は、前記駆動板が前記第１ガイド部と前記第２ガイド部の間に置かれて前記球体を前記球受部へ移動させるチェック部材と前記球受部で前記球体を下方から押し上げて前記球体を前記転動部へ移動させる第１リセット部材からなることを特徴とする。
【００１７】
通常時は駆動版のチェック部材が第１ガイド及び第２ガイド部で構成される転動部の底面以下に位置している。制御レバーを持ち上げること球体を転動させて玉受け部へ移動させると球体の重量により玉受け部が下方へ移動して本体係合部と扉係合部が係合する動作をチェックしてすることができる。また、制御レバーを押し下げることで玉受け部に置かれた球体の下に位置する第１リセット部材を持ち上げることで球体を球受部から転動部へ移動させるとともに本体係合部と扉係合部との係合を解除して扉開放防止装置をリセットすることができる。
【００１８】
本発明の扉開放防止装置は、球受部に位置する球体を前記球体の側方から押して転動部へ移動させる第２リセット部材を備えることを特徴とする。
【００１９】
第２リセット部材は球受部に有る球体の側面になる扉開放防止装置の前面に位置するのでリセット操作が容易になる。
【００２０】
本発明の扉開放防止装置は、前記球受部の下方に前記扉係合部と係合する前記本体係合部を有することを特徴とする。
【００２１】
地震時に球体が球受部へ移動して球体の重量により球受部が下方へ下がるので球受部の下方に置かれる本体係合部が下へ下がって扉係合部と係合して扉の開放をロックする。
【００２２】
本発明の扉開放防止装置は、筐体の前方の側面に表示窓が開けられ、前記球体が前記球受部へ入ると前記表示窓を通して扉がロック状態にあることを示す表示が現れることを特徴とする。
【００２３】
地震時に扉が扉開放防止装置によってロックされると扉開放防止装置の筐体の前方の窓にロック状態を示す表示が現れるので扉開放防止装置の状態が明らかになる。
【００２４】
本発明の扉開放防止装置は、扉取り付け部が複数の高さが異なる前記扉係合部を備え、前記複数の扉係合部の間が折り取り可能に形成されていることを特徴とする。
【００２５】
冷蔵庫や収納棚の扉の上部が冷蔵庫や収納棚の本体の上面に比べて下がっている場合があり、本体係合部が扉係合部へ届かない惧れがある場合にも高い扉係合部があるので不要な低い高さの係合部を折り取って高い高さの係合部が本体係合部と係合するように扉取り付け部を扉へ取り付けることで扉をロックする機能を発揮することができる。
【図面の簡単な説明】
【００２６】
【図１】本体取り付け部と扉取り付け部の斜視図で（Ａ）非ロック状態（リセット時）、（Ｂ）ロック状態の説明図である。
【図２】本体取り付け部と扉取り付け部の（Ａ）後方からの側面図、（Ｂ）横からの側面図、（Ｃ）前方からの側面図である。
【図３】球体制御部の（Ａ）非ロック状態、（Ｂ）ロック状態の説明図である。
【図４】第２リセット部材を備えた本体取り付け部及び扉取り付け部の説明図である。
【図５】第２リセット部材の動作の説明図である。
【図６】高さの異なる扉係合部を備えた扉取り付け部の説明図である。
【発明を実施するための形態】
【００２７】
以下、本発明の実施形態を図面に基づいて説明する。図１は冷蔵庫の本体５２へ本体接着層４０で接着された本体取り付け部１０とパッキングを介した扉５０へ扉接着層４１で扉へ接着された扉取り付け部２０である。図１（Ａ）は非ロック状態で図１（Ｂ）はロック状態である。ここで、扉開放防止装置本体の扉へ向いている図の右方向を筐体の前方、左方向を筐体の後方とする。
【００２８】
本体取り付け部１０は点線で描かれた筐体１１と筐体蓋１２に収められた球体制御部から構成される。筐体１１と筐体蓋１２はねじ１３で簡単に組み立てることができる。球体制御部は水平に置かれる軸４の回りに鉛直面内で回動する。球体制御部を外部から制御レバー２により回動させることができる。
【００２９】
通常時に球体は第１ガイド部３３と第２ガイド部３４で構成される転動部の最下面に有る。第１ガイド部は筐体の成型時に、第２ガイド部は筐体蓋の成型時に一体成型することが好適であるが別部材をガイドとして付着してもよい。第１ガイド部３３と第２ガイド部３４で構成される転動部は中間部を低く形成することで通常時には球体は転動部のほぼ中間点に位置する。また球体１の筐体の幅方向は筐体１１と筐体蓋１２により規制されている。軸４に対して後方に制御レバー２と駆動板３、前方に球受部３４が置かれ球体の位置により重心の位置が変わる。球体１が球受部３４へ移動すると球体制御部の重心が前方に移り図１において反時計方向へ軸４を中心にして球体制御部が回動する。
【００３０】
地震時に冷蔵庫の本体が前後に揺れると本体取り付け部も揺れるが球体１は慣性により同じ位置へ留まろうとするので転動部の中間部の最低点よりも高い位置へ移動する。さらに前方の転動部の頂部を超えると球体１は球受部３４へ落ち込む。そうすると図１（Ｂ）に示すように反時計方向へ球体制御部が回動し、球受部３４が下方へ下がり、球受部の下部に設けられた本体係合部３８が下方へ移動して扉係合部２１に係合する。本体係合部と扉係合部が係合することで扉がロックされ扉の開放が防止される。
【００３１】
次に、制御レバーについて説明する。先ず制御レバーは扉開放防止装置が地震時に正常に機能するか否かをチェックするために用いられる。制御レバー２を上に上げると第１ガイド部３３と第２ガイド部３４の間隙に位置する駆動版３のチェック部材３１が上に上がり球体を前方に有る球受部３４へ移動させる。球受部３４へ球体１が移動すると球体制御部の重心が前方に移り図１において反時計方向へ球体制御部が回動する。そうすると球受部３４が下方へ下がり、球受部の下部に設けられた本体係合部３８が下方へ移動して扉係合部２１に係合する。本体係合部と扉係合部が係合することで扉の開放が防止されて扉がロックされる。
【００３２】
制御レバーは扉開放防止装置のリセットにも用いられる。図１（Ｂ）のように球体１が球受部へ移動して扉がロックされている状態を図１（Ａ）の状態へ戻すには制御レバー２を図１（Ｂ）の状態から下へ押し下げる。球受部３４は軸４に対して制御レバー２と反対側に有るので制御レバーが下がると球受部３４の下方に位置しているリセット部材３２（図３を参照）が持ち上がり球体１を押上げて球体１が駆動版３の転動部の頂点を超えると球体１は転動部へ移動して図１（Ａ）の状態になって通常の状態へリセットされる。
【００３３】
図２はロック時の本体取り付け部と扉取り付け部の側面図で、図２（Ａ）後方から見た側面図、（Ｂ）は側方からの側面図、図２（Ｃ）は前方から見た側面図である。前方から見た側面図には扉開放防止装置の状態を示す表示窓３９が有り、そこにロックなどの文字や赤色などの表示をすることで使用者が分かりやすいようにしている。
【００３４】
図３（Ａ）は非ロック時の球体制御部の状態で水平線Ｓに平行レバー２や駆動板３が略水平になっている。チェック部材３１の球体１に当たる部分の形状はほぼ転動部の球体が当たる面に沿った形に形成され転動部を構成する第１ガイド部と第２ガイド部の間に置かれる。球体の転動は転動部で行われるのでチェック部材の形状は球体１を持ち上げることができる形状であれば必ずしも転動部の形状に沿わなくてもよい。
【００３５】
図３（Ｂ）はロック時の球体制御部の状態で球体制御部が水平線Ｓに対して反時計方向へ軸４の回りで回動している状態を示。図３（Ｂ）の状態で制御レバー２を下方へ勢いよく押下すると球体１はリセット部材３２により持ち上げられると同時に図の左方向へ駆動されて転動部へ移動する。
【００３６】
図４はリセットを筐体の前方から行えるように第２リセット部材１５を筐体の前面に付けた様子を示す図である。第２リセット部材１５の形状はほぼＬ字型で水平部分の重量が図の右へ出ている部分よりも大きくなっておりＬ字型の中間点で軸支すると図５（Ａ）の状態で平衡する。第２リセット部材をネジ１３で筐体と筐体蓋で軸支すると鳥のトサカの形状が側面へ飛び出す。このようにリセット部材を筐体の前面に用意することで冷蔵庫の前面からのリセットが容易になる。
【００３７】
図５を用いて球体制御部の構成品である第２リセット部材１５の動きを説明する。図５（Ａ）は球体１が球受部に有るときで第２リセット部材の左側の側面が球体１に押されて右方向へ第２リセット部材のトサカ形状部分が右へせり出している。ここで図５（Ｂ）に示す矢印の方向の力を加えると球体１は左方向へ押されて移動する。
【００３８】
図５（Ｂ）に示すように球体１が左方向へ移動するとチェック部材の頂きを超える。
そうすると図５（Ｃ）に示すように球体１はチェック部材の一番低い位置へ移動する。球体１から離れた第２リセット部材１５は自重で前方へ突き出た形で静止する。
【００３９】
次に、図６を用いて本体係合部３８と係合する扉係合部２１，２２，２３について説明する。扉係合部は冷蔵庫などの扉へ取り付けられるが扉が自重などにより蝶番から離れた場所が下がってくることがある。そうすると本体係合部３８が扉係合部に係合しない場合がある。そこで、扉取り付け部に高さの異なる複数の扉係合部２１〜２３を設け、高さの低い扉係合部では係合しない場合はその係合部を折り取って次の高さの扉係合部を使えばよい。折り取るために扉係合部の間を薄く形成したりミシン目を入れることが好適である。
【００４０】
本発明による扉開放防止装置の動作確認を行った結果を表１に示す。
【００４１】
【表１】
2019131963.tif 000003
【００４２】
表１に示す結果から本発明に係る扉開放防止装置は震度５弱で動作することが分かる。震度についての感度を変えるのは球体１に当たる転動部の形状を変えることで容易に変えることができる。
【００４３】
上記に説明した実施例は本願発明の一部であって本願発明の技術思想を含む実施の態様は本願発明の技術思想に含まれる。
【符号の説明】
【００４４】
１  球体
２  制御レバー
３  駆動板
３１  チェック部材
３２  リセット部材
４  回動軸
１０  本体取り付け部
１１  筐体
１２  筐体蓋
１３  ねじ
１５  第２リセット部材
２０  扉取り付け部
２１，２２，２３  扉係合部
３１  チェック部材
３２  リセット部材
３３  第１ガイド部
３４  球受部
３５  第２ガイド部
３８  本体係合部
３９  表示窓
４０  本体接着層
４１  扉接着層
５０  冷蔵庫の扉
５１  パッキング
５２  冷蔵庫の本体
【図１】
2019131963.tif 000004
【図２】
2019131963.tif 000005
【図３】
2019131963.tif 000006
【図４】
2019131963.tif 000007
【図５】
2019131963.tif 000008
【図６】
2019131963.tif 000009